(57)【要約】【課題】運動中に使用するのに十分に柔軟かつ快適であり、費用対効果が高くて入手しやすい、足首ストラップ及び足首ブレースのような着用者の足首を支持するデバイス及び方法を提供する。【解決手段】足首ブレース（１００）は、着用者の足を受け入れるように構成された主本体（１０２）と主本体に結合された足首ステー（１２０）とを含む。足首ステーは、上前セクション（２０６）、中間前セクション（２１４）、及び下前セクション（２２０）を含む。上前セクションは、着用者の足の足首に対して前方に配置されるように構成され、上前セクションは、前方向に面する第１の凸形縁部（２１０）と後方向に面する第１の凹形縁部（２１２）とを含む。中間前セクションは、着用者の足の足首に対して下方に配置されるように構成される。中間前セクションは、後方向に面する第２の凸形縁部（２１６）と前方向に面する第２の凹形縁部（２１８）とを含む。【選択図】図１
2022502175.tif 000002
【特許請求の範囲】
【請求項１】
足首ブレースであって、
着用者の足を受け入れるように構成された主本体と、
前記主本体に結合された足首ステーと、
を含み、
前記足首ステーは、
前記着用者の前記足の足首に対して前方に配置されるように構成され、前方向に面する第１の凸形縁部と後方向に面する第１の凹形縁部とを含む上前セクションと、
前記上前セクションに結合された中間前セクションであって、前記着用者の前記足の前記足首に対して下方に配置されるように構成され、前記後方向に面する第２の凸形縁部と前記前方向に面する第２の凹形縁部とを含む前記中間前セクションと、
前記上前セクションの反対側の前記中間前セクションに結合された下前セクションと、
を含む、
ことを特徴とする足首ブレース。
【請求項２】
前記足首ステーは、前記着用者の前記足の前記足首に対して後方に配置されるように構成された上後セクションを更に含み、該上後セクションは、前記後方向に面する第３の凸形縁部と前記前方向に面する第３の凹形縁部とを含む、請求項１に記載の足首ブレース。
【請求項３】
前記足首ステーは、前記前方向に面する第４の凸形縁部と前記後方向に面する第４の凹形縁部とを含む下後セクションを更に含む、請求項２に記載の足首ブレース。
【請求項４】
前記足首ステーは、前記下前セクションを前記下後セクションに結合する下部分を更に含む、請求項３に記載の足首ブレース。
【請求項５】
前記下部分は、前記着用者の前記足の足底に対して下方に配置されるように構成される、請求項４に記載の足首ブレース。
【請求項６】
前記足首ステーは、前記着用者の前記足の前記足首を二等分するコロナ平面にわたって非対称である、請求項１に記載の足首ブレース。
【請求項７】
前記下前セクションは、前記前方向に面する第３の凸形縁部と前記後方向に面する第３の凹形縁部とを含む、請求項１に記載の足首ブレース。
【請求項８】
前記主本体は、前記着用者の前記足の内側に配置されるように構成された内面と該着用者の該足の外側に配置されるように構成された外面とを含み、前記足首ステーは、該主本体の該内面に配置される、請求項１に記載の足首ブレース。
【請求項９】
前記主本体は、前記着用者の前記足の内側に配置されるように構成された内面と該着用者の該足の外側に配置されるように構成された外面とを含み、前記足首ステーは、該主本体の該外面に配置される、請求項１に記載の足首ブレース。
【請求項１０】
前記足首ステーは、外側足首ステーであり、
前記主本体に結合されて該主本体の前記内面に配置された内側足首ステーを更に含む、
請求項９に記載の足首ブレース。
【請求項１１】
足首ブレースであって、
着用者の足を受け入れるように構成された主本体と、
前記主本体に結合された足首ステーと、
を含み、
前記足首ステーは、
前記着用者の前記足の足首に対して前方に配置されるように構成され前部分と、
前記前部分に結合され、かつ前記着用者の前記足の足底に対して下方に配置されるように構成された下部分と、
前記前部分の反対側の前記下部分に結合された後部分であって、前記着用者の前記足の前記足首に対して後方に配置されるように構成された前記後部分と、
を含む、
ことを特徴とする足首ブレース。
【請求項１２】
前記前部分は、前方向に面する凸形縁部と後方向に面する凹形縁部とを含む、請求項１１に記載の足首ブレース。
【請求項１３】
前記前部分は、前方向に面する凹形縁部と後方向に面する凸形縁部とを含む、請求項１１に記載の足首ブレース。
【請求項１４】
前記後部分は、前方向に面する凸形縁部と後方向に面する凹形縁部とを含む、請求項１１に記載の足首ブレース。
【請求項１５】
前記後部分は、前方向に面する凹形縁部と後方向に面する凸形縁部とを含む、請求項１１に記載の足首ブレース。
【請求項１６】
前記主本体は、前記着用者の前記足の内側に配置されるように構成された内面と該着用者の該足の外側に配置されるように構成された外面とを含み、前記足首ステーは、該主本体の該内面に配置される、請求項１１に記載の足首ブレース。
【請求項１７】
前記主本体は、前記着用者の前記足の内側に配置されるように構成された内面と該着用者の該足の外側に配置されるように構成された外面とを含み、前記足首ステーは、該主本体の該外面に配置される、請求項１１に記載の足首ブレース。
【請求項１８】
前記足首ステーは、外側足首ステーであり、
前記主本体に結合されて該主本体の前記内面に配置された内側足首ステーを更に含む、
請求項１７に記載の足首ブレース。
【請求項１９】
足首ブレースであって、
着用者の足を受け入れるように構成され、上面部分、底面部分、前面部分、後面部分、第１の側面部分、及び第２の側面部分を有する主本体、
を含み、
前記主本体は、
前記底面部分と前記上面部分の間に配置されて前記着用者の前記足の背面の上を覆うように構成され、第１の延伸性を有する第１の部分と、
前記第１の側面部分及び前記第２の側面部分に配置され、前記第１の延伸性よりも低い第２の延伸性を有する第２の部分と、
を含む、
ことを特徴とする足首ブレース。
【請求項２０】
前記第２の部分は、更に前記主本体の前記底面部分に配置される、請求項１９に記載の足首ブレース。
【請求項２１】
前記第１の側面部分及び前記第２の側面部分のうちの一方に配置された足首ステーを更に含む、請求項１９に記載の足首ブレース。
【請求項２２】
前記第１の側面部分に配置された第１の足首ステーと、
前記第２の側面部分に配置された第２の足首ステーと、
を更に含む、請求項１９に記載の足首ブレース。
【請求項２３】
着用者の足を受け入れるように構成され、第１の側面部分、該第１の側面部分の反対側の第２の側面部分、及び該着用者の該足の下を覆うように構成された足底を有する主本体と、
前記足底に結合され、該足底から上向きに前記第１の側面部分に沿って延び、かつ該第１の側面部分に切り離し可能に結合する第１の側面あぶみストラップと、
前記足底に結合され、該足底から上向きに前記第２の側面部分に沿って延び、かつ該第２の側面部分に切り離し可能に結合する第２の側面あぶみストラップと、
を含む、
ことを特徴とする足首ブレース。
【請求項２４】
前記第１の側面あぶみストラップ及び前記第２の側面あぶみストラップは、互いにモノリシックに形成される、請求項２３記載の足首ブレース。
【請求項２５】
着用者の足を受け入れるように構成され、該着用者の該足の下を覆うように構成された足底、該着用者の該足の背面の上を覆うように構成された上面部分、及び該着用者の該足に対して後方に配置されるように構成された後面部分を有する主本体と、
前記足底に結合された第１の交差ストラップ及び第２の交差ストラップであって、該足底から反対方向に延び、上方に延びて前記上面部分で互いに交差し、後方に延びて前記後面部分で再度互いに交差し、かつ該第２の交差ストラップが該第１の交差ストラップの上を覆うように前方に延びる前記第１の交差ストラップ及び第２の交差ストラップと、
を含む、
ことを特徴とする足首ブレース。
【請求項２６】
前記第１の交差ストラップ及び前記第２の交差ストラップは、互いにモノリシックに形成される、請求項２５に記載の足首ブレース。
【発明の詳細な説明】
【技術分野】
【０００１】
〔関連出願への相互参照〕
この出願は、これによりその全体が引用によって本明細書にそれが教示する全てに対してかつ全ての目的に対して組み込まれている２０１８年９月２７日出願の米国仮特許出願第６２／７３７，３５６号の「３５  Ｕ．Ｓ．Ｃ．§１１９（ｅ）」の下での利益及びそれに対する優先権を主張するものである。
【０００２】
本発明の開示は、一般的に、保護的及び支持的運動用具及びそれを作る方法に関する。本発明の開示は、足首ストラップ及び足首ブレースのような着用者の足首を支持するデバイス及び方法に関する。より具体的には、本発明の開示は、内側／外側足首支持を提供するための足首ステーを有する足首ブレースに関する。
【背景技術】
【０００３】
毎年、競技者及び非競技者の両方の多くの人々が足首を負傷する。一部の場合では、競技者は、足首負傷を防ぐために及び／又は負傷が発生した後で彼らの足首を支持するために粘着テープを彼らの足首に巻き付ける。多くの事例では、競技者及び他者は、彼らの足首を保護する及び／又は回復するために足首ブレースを使用する。
【０００４】
着用者の足又は足首を支持する又は安定化するためのデバイスは、日常使用のために及び／又は身体活動に関わっている時の使用のために着用者によって着用される場合がある。足又は足首に対する損傷は一般的であり、かつ着用者の身体機能及び／又は競技パフォーマンスに影響を与える場合がある。ある一定の着用者に関して、衰弱した又は負傷した足又は足首を支持するために人工構造体を使用することが有益である場合がある。ある一定の剛性構造体は、構造的支持を提供する又は更に別の負傷を防ぐために１日を通して及び／又はスポーツに関わっている時に着用することができる。多くの場合に医師又は医療従事者は、ぴったり合う支持体又は構造体を着用者の四肢の外側に適用して着用者の四肢に対する耐体重支持を提供することができる。
【発明の概要】
【発明が解決しようとする課題】
【０００５】
様々な足首ブレースは公知であるが、公知の足首ブレース性能及び快適性の継続的改善に対する要望が存在する。ストラップ又はブレースのような着用者の足又は足首のためのある一定の支持構造体は、利用可能であり、かつ敏捷性、快適性、又は耐体重機能のようなある一定の利点を提供する場合がある。しかし、ある一定のオプションは、特定の特性に起因して不適切である場合がある。例えば、現在利用可能であるアンダーシャツは、柔軟で快適であると考えられるが、十分な支持を提供しない場合がある。他の事例では、ぴったり合うデバイスは、着用者にとって高価であり、及び／又は広範なカスタマイズを必要とする場合がある。これに加えて、構造的支持を提供するある一定のデバイスは、快適ではなく、又は着用者の四肢による特定レベルの敏捷性又は動きを要求するある一定のスポーツに使用するのに向いていない場合がある。すなわち、適切な耐体重機能を提供するが、運動中に使用するのに十分に柔軟かつ快適であり、同じく費用対効果が高くて入手しやすい着用者の１又は複数の四肢を支持するためのデバイス又は方法に対する必要性が存在する。
【課題を解決するための手段】
【０００６】
第１の例では、本発明の開示による足首ブレースは、着用者の足を受け入れるように構成された主本体と、主本体に結合された足首ステーとを含む。足首ステーは、上前セクション、中間前セクション、及び下前セクションを含む。上前セクションは、着用者の足の足首に対して前方に配置されるように構成され、上前セクションは、前方向に面する第１の凸形縁部と後方向に面する第１の凹形縁部とを含む。中間前セクションは、上前セクションに結合される。中間前セクションは、着用者の足の足首に対して下方に配置されるように構成される。中間前セクションは、後方向に面する第２の凸形縁部と前方向に面する第２の凹形縁部とを含む。下前セクションは、上前セクションの反対側の中間前セクションに結合される。
【０００７】
第２の例では、第１の例の足首ブレースは、足首ステーが、着用者の足の足首に対して後方に配置されるように構成された上後セクションを更に含む。上後セクションは、後方向に面する第３の凸形縁部と前方向に面する第３の凹形縁部とを含む。
【０００８】
第３の例では、第１の例又は第２の例の足首ブレースは、足首ステーが下後セクションを更に含む。下後セクションは、前方向に面する第４の凸形縁部と後方向に面する第４の凹形縁部とを含む。
【０００９】
第４の例では、第１の例から第３の例の足首ブレースは、足首ステーが下部分を更に含む。下部分は、下前セクションを下後セクションに結合する。
【００１０】
第５の例では、第１の例から第４の例の足首ブレースは、下部分が着用者の足の足底に対して下方に配置されるように構成される。
【００１１】
第６の例では、第１の例から第５の例の足首ブレースは、足首ステーが、着用者の足の足首を二等分するコロナ平面にわたって非対称である。
【００１２】
第７の例では、第１の例から第６の例の足首ブレースは、下前セクションが、前方向に面する第３の凸形縁部と後方向に面する第３の凹形縁部とを含む。
【００１３】
第８の例では、第１の例から第７の例の足首ブレースは、主本体が、着用者の足の内側に配置されるように構成された内面と着用者の足の外側に配置されるように構成された外面とを含み、足首ステーは、主本体の内面に配置される。
【００１４】
第９の例では、第１の例から第８の例の足首ブレースは、主本体が、着用者の足の内側に配置されるように構成された内面と着用者の足の外側に配置されるように構成された外面とを含み、足首ステーは、主本体の外面に配置される。
【００１５】
第１０の例では、第１の例から第９の例の足首ブレースは、足首ステーが外側足首ステーであり、主本体に結合されて主本体の内面に配置された内側足首ステーを更に含む。
【００１６】
第１１の例では、本発明の開示による足首ブレースは、着用者の足を受け入れるように構成された主本体と、主本体に結合された足首ステーとを含む。足首ステーは、前部分、下部分、及び後部分を含む。前部分は、着用者の足の足首に対して前方に配置されるように構成される。下部分は、前部分に結合され、かつ着用者の足の足底に対して下方に配置されるように構成される。後部分は、前部分の反対側の下部分に結合される。後部分は、着用者の足の足首に対して後方に配置されるように構成される。
【００１７】
第１２の例では、第１１の例の足首ブレースは、前部分が、前方向に面する凸形縁部と後方向に面する凹形縁部とを含む。
【００１８】
第１３の例では、第１１の例又は第１２の例の足首ブレースは、前部分が、前方向に面する凹形縁部と後方向に面する凸形縁部とを含む。
【００１９】
第１４の例では、第１１の例から第１３の例の足首ブレースは、後部分が、前方向に面する凸形縁部と後方向に面する凹形縁部とを含む。
【００２０】
第１５の例では、第１１の例から第１４の例の足首ブレースは、後部分が、前方向に面する凹形縁部と後方向に面する凸形縁部とを含む。
【００２１】
第１６の例では、第１１の例から第１５の例の足首ブレースは、主本体が、着用者の足の内側に配置されるように構成された内面と、着用者の足の外側に配置されるように構成された外面とを含み、足首ステーは、主本体の内面に配置される。
【００２２】
第１７の例では、第１１の例から第１６の例の足首ブレースは、主本体が、着用者の足の内側に配置されるように構成された内面と、着用者の足の外側に配置されるように構成された外面とを含み、足首ステーは、主本体の外面に配置される。
【００２３】
第１８の例では、第１１の例から第１７の例の足首ブレースは、足首ステーが外側足首ステーであり、主本体に結合されて主本体の内面に配置された内側足首ステーを更に含む。
【００２４】
第１９の例では、本発明の開示による足首ブレースは、着用者の足を受け入れるように構成された主本体を含む。主本体は、上面部分、底面部分、前面部分、後面部分、第１の側面部分、及び第２の側面部分を有する。主本体は、第１の部分及び第２の部分を更に含む。第１の部分は、底面部分と上面部分の間に配置され、かつ着用者の足の背面の上を覆うように構成される。第１の部分は、第１の延伸性を有する。第２の部分は、第１の側面部分及び第２の側面部分に配置される。第２の部分は、第２の延伸性を有し、第２の延伸性は、第１の延伸性よりも低い。
【００２５】
第２０の例では、第１９の例の足首ブレースは、第２の部分が、更に主本体の底面部分に配置される。
【００２６】
第２１の例では、第１９の例又は第２０の例の足首ブレースは、第１の側面部分及び第２の側面部分のうちの一方に配置された足首ステーを更に含む。
【００２７】
第２２の例では、第１９の例又は第２０の例の足首ブレースは、第１の側面部分に配置された第１の足首ステーと、第２の側面部分に配置された第２の足首ステーとを更に含む。
【００２８】
第２３の例では、足首ブレースは、着用者の足を受け入れるように構成された主本体を含む。主本体は、第１の側面部分、第１の側面部分の反対側の第２の側面部分、及び着用者の足の下を覆うように構成された足底を有する。足首ブレースは、足底に結合された第１の側面あぶみストラップを更に含む。第１の側面あぶみストラップは、足底から上向きに第１の側面部分に沿って延び、第１の側面あぶみストラップは、第１の側面部分に切り離し可能に結合する。足首ブレースは、足底に結合された第２の側面あぶみストラップを更に含む。第２の側面あぶみストラップは、足底から上向きに第２の側面部分に沿って延び、第２の側面あぶみストラップは、第２の側面部分に切り離し可能に結合する。
【００２９】
第２４の例では、第２３の例の足首ブレースは、第１の側面あぶみストラップ及び第２の側面あぶみストラップが、互いにモノリシックに形成される。
【００３０】
第２５の例では、足首ブレースは、着用者の足を受け入れるように構成された主本体を含む。主本体は、着用者の足の下を覆うように構成された足底、着用者の足の背面の上を覆うように構成された上面部分、及び着用者の足に対して後方に配置されるように構成された後面部分を有する。足首ブレースは、足底に結合された第１の交差ストラップ及び第２の交差ストラップを更に含む。第１の交差ストラップ及び第２の交差ストラップは、足底から反対方向に延び、上方に延びて上面部分で互いに交差し、後方に延びて後面部分で再度互いに交差し、かつ第２の交差ストラップが第１の交差ストラップの上を覆うように前方に延びる。
【００３１】
第１の交差ストラップ及び第２の交差ストラップは、互いにモノリシックに形成される。
【００３２】
複数の実施形態を開示するが、本発明の更に他の実施形態が本発明の例示的実施形態を図示して説明する以下の詳細説明から当業者には明らかになるであろう。従って、図面及び詳細説明は、制限ではなく本質的に例示であるとして見なされるものとする。
【図面の簡単な説明】
【００３３】
【図１Ａ】着用者の足上に着用されている本発明の開示の実施形態による足首ブレースの側面斜視図である。
【図１Ｂ】着用者の足の背屈中の図１Ａの足首ブレースの側面斜視図である。
【図２Ａ】平坦構成に示す図１Ａの足首ブレースの足首ステーの側面図である。
【図２Ｂ】着用者の足に対して位置決めされて示す図１Ａの足首ブレースの第１及び第２の足首ステーの側面斜視図である。
【図２Ｃ】着用者の足に対して位置決めされて示す図２Ｂの第１及び第２の足首ステーの前面斜視図である。
【図３Ａ】着用者の足上に着用されている本発明の開示の別の実施形態による足首ブレースの側面斜視図である。
【図３Ｂ】着用者の足の背屈中の図３Ａの足首ブレースの側面斜視図である。
【図４Ａ】着用者の足上に着用されている本発明の開示の別の実施形態による足首ブレースの側面斜視図である。
【図４Ｂ】着用者の足の背屈中の図４Ａの足首ブレースの側面斜視図である。
【図５Ａ】平坦構成に示す図４Ａの足首ブレースの足首ステーの側面図である。
【図５Ｂ】着用者の足に対して位置決めされて示す図４Ａの足首ブレースの足首ステーの側面斜視図である。
【図５Ｃ】着用者の足に対して位置決めされて示す図４Ａの足首ブレースの足首ステーの前面斜視図である。
【図６】平坦構成に示す本発明の開示の別の実施形態による足首ステーの側面斜視図である。
【図７】平坦構成に示す本発明の開示の更に別の実施形態による足首ステーの側面斜視図である。
【図８Ａ】着用者の足上に着用されている本発明の開示の別の実施形態による足首ブレースの側面斜視図である。
【図８Ｂ】着用者の足上に着用されている図８Ａの足首ブレースの前面斜視図である。
【図８Ｃ】着用者の足に固定されている図８Ａの足首ブレースの側面斜視図である。
【図９Ａ】着用者の足上に着用されている本発明の開示の別の実施形態による足首ブレースの側面斜視図である。
【図９Ｂ】着用者の足上に着用されている図９Ａの足首ブレースの前面斜視図である。
【図９Ｃ】上側後面ストラップ及び下側後面ストラップを固定することによって着用者の足に固定されている図９Ａの足首ブレースの側面斜視図である。
【図９Ｄ】第１の側面あぶみストラップ及び第２の側面あぶみストラップを固定することによって着用者の足に固定されている図９Ａの足首ブレースの上面斜視図である。
【図１０Ａ】着用者の足上に着用されている本発明の開示の別の実施形態による足首ブレースの側面斜視図である。
【図１０Ｂ】着用者の足上に着用されている図１０Ａの足首ブレースの前面斜視図である。
【図１０Ｃ】上側後面ストラップ及び下側後面ストラップを固定することによって着用者の足に固定されている図１０Ａの足首ブレースの側面斜視図である。
【図１０Ｄ】第１の側面あぶみストラップ及び第２の側面あぶみストラップを固定することによって着用者の足に固定されている図１０Ａの足首ブレースの上面斜視図である。
【図１０Ｅ】第１の上側巻き付けストラップ及び第２の上側巻き付けストラップを固定することによって着用者の足に固定されている図１０Ａの足首ブレースの側面斜視図である。
【図１１Ａ】着用者の足上に着用されている本発明の開示の別の実施形態による足首ブレースの側面斜視図である。
【図１１Ｂ】着用者の足上に着用されている図１１Ａの足首ブレースの前面斜視図である。
【図１１Ｃ】上側後面ストラップ及び下側後面ストラップを固定することによって着用者の足に固定されている図１１Ａの足首ブレースの側面斜視図である。
【図１１Ｄ】第１の側面あぶみストラップ及び第２の側面あぶみストラップを固定することによって着用者の足に固定されている図１１Ａの足首ブレースの上面斜視図である。
【図１１Ｅ】第１の交差ストラップを固定することによって着用者の足に固定されている図１１Ａの足首ブレースの側面斜視図である。
【図１１Ｆ】第２の交差ストラップを固定することによって着用者の足に固定されている図１１Ａの足首ブレースの側面斜視図である。
【図１２Ａ】着用者の足上に着用されている本発明の開示の別の実施形態による足首ブレースの側面斜視図である。
【図１２Ｂ】着用者の足上に着用されている図１２Ａの足首ブレースの前面斜視図である。
【図１３Ａ】着用者の足上に着用されている本発明の開示の別の実施形態による足首ブレースの側面斜視図である。
【図１３Ｂ】着用者の足に固定されている図１３Ａの足首ブレースの前面斜視図である。
【図１３Ｃ】第１の後面ストラップ及び第２の後面ストラップを固定することによって着用者の足に固定されている図１３Ａの足首ブレースの側面斜視図である。
【図１３Ｄ】第１の交差あぶみストラップ及び第２の交差あぶみストラップを足首ブレースの主本体の周りに位置決めすることによって着用者の足に固定されている図１３Ａの足首ブレースの上面斜視図である。
【図１３Ｅ】第１の交差あぶみストラップを固定することによって着用者の足に固定されている図１３Ａの足首ブレースの側面斜視図である。
【図１３Ｆ】第２の交差あぶみストラップを固定することによって着用者の足に固定されている図１３Ａの足首ブレースの側面斜視図である。
【図１３Ｇ】上側巻き付けストラップを固定することによって着用者の足に固定されている図１３Ａの足首ブレースの側面斜視図である。
【図１４Ａ】着用者の足上に着用されている本発明の開示の別の実施形態による足首ブレースの側面斜視図である。
【図１４Ｂ】着用者の足の背屈中の図１４Ａの足首ブレースの側面斜視図である。
【図１５Ａ】平坦構成に示す図１４Ａの足首ブレースの足首ステーの側面図である。
【図１５Ｂ】着用者の足に対して位置決めされて示す図１４Ａの足首ブレースの足首ステーの側面斜視図である。
【図１５Ｃ】着用者の足に対して位置決めされて示す図１４Ａの足首ブレースの足首ステーの前面斜視図である。
【図１６】平坦構成に示す本発明の開示の別の実施形態による足首ステーの側面斜視図である。
【００３４】
図面は、本発明の例示的実施形態の理解を容易にすることを意図しており、かつ必ずしも縮尺通りではないことを理解しなければならない。
【発明を実施するための形態】
【００３５】
以下の説明は、特定の実施形態を示す添付図面を参照する。特定の実施形態を図示して説明するが、追加の又は代替の特徴が他の実施形態では使用されていることは理解されるものとする。以下の詳細説明は限定的な意味に取るべきではなく、主張する本発明の範囲は、特許請求の範囲及びその均等物によって定められる。
【００３６】
同じ参照番号は、いくつかの作図を通して一貫して同じ構造的構成要素、要素、部分、又は面を識別するように意図しており、従って、構成要素、要素、部分、又は面は、詳細説明が不可欠な部分である記載する明細書全体によって更に説明又は解説することができることは理解されるものとする。他に示さない限り、図面は、明細書と共に読まれるように意図しており（例えば、クロスハッチング、部品の配置、均衡、程度、その他）、かつ記載する説明の一部分と見なされるものとする。
【００３７】
本明細書に使用される時に、「内側」は、着用者の身体の中央、中心線、又は正中面に向かう場所を一般的に指す。本明細書に使用される時に、「外側」は、着用者の身体の側部又は外側に向かう場所を一般的に指す。すなわち、着用者の足の内側は、身体の中心及び反対側の足にほぼ向けて内向きに面する側である。着用者の足の外側は、着用者の身体及び反対側の足からほぼ離れるように外向きに面する側である。すなわち、着用者の右足の内側は、その足の左側であり、着用者の右足の外側は、その足の右側である。着用者の左足の内側は、その足の右側であり、着用者の左足の外側は、その足の左側である。本明細書に使用される時に、「前」は、着用者の身体の前部に向かう場所を一般的に指す。本明細書に使用される時に、「後」は、着用者の身体の後部に向かう場所を一般的に指す。本明細書に使用される時に、「上」は、着用者の身体の上部に向かう場所を一般的に指す。本明細書に使用される時に、「下」は、着用者の身体の底部の近くの場所を一般的に指す。本明細書に使用される時に、「サジタル」は、着用者の身体を左側と右側に分割する垂直平面又は着用者の足を内側と横断側に分割する垂直平面を一般的に指す。本明細書に使用される時に、「コロナ」は、着用者の身体を前側と後側に分割する垂直平面又は着用者の足を前側と後側に分割する垂直平面を一般的に指す。
【００３８】
図１Ａ及び図１Ｂは、着用者の足１０上に着用されている本発明の開示の実施形態による足首ブレース１００を示している。足首ブレース１００は、足首１２を含む着用者の足１０を受け入れるように構成された主本体１０２を含む。主本体１０２は、上面部分１０４、底面部分１０６、第１の側面部分１０８、第２の側面部分１１０、前面部分１１２、及び後面部分１１４を含む。一部の実施形態では、上面部分１０４は、着用された時にほぼ着用者のふくらはぎ１８上にかつそれに対して位置付けられる。一部の実施形態では、底面部分１０６は、着用された時にほぼ着用者の足底２４上にかつそれに対して位置付けられる。一部の実施形態では、第１の側面部分１０８は、着用された時にほぼ着用者の足１０の外側１４にかつそれに対して位置付けられる（すなわち、第１の側面部分１０８は、着用者の足１０の外側１４に配置されるように構成された外面であると考えられる）。一部の実施形態では、第２の側面部分１１０は、着用された時にほぼ着用者の足１０の内側１６にかつそれに対して位置付けられる（すなわち、第２の側面部分１１０は、着用者の足１０の内側１６に配置されるように構成された内面であると考えられる）。一部の実施形態では、前面部分１１２は、着用された時にほぼ着用者の中足２０上にかつそれに対して位置付けられる。一部の実施形態では、後面部分１１４は、着用された時にほぼかかと２２及びふくらはぎ１８上にかつそれに対して位置付けられる。一部の実施形態では、足首ブレース１００は、着用者の右足又は左足上に選択的に着用可能であり、及び／又は足首ブレース１００は、着用者の足１０を二等分するサジタル平面にわたって対称である。
【００３９】
主本体１０２の前面部分１１２は、着用された時に足１０の中足１８がそれを通って延びる前面開口部１１６を定める。主本体１０２の上面部分１０４は、着用された時に着用者のふくらはぎ２０がそれを通って延びる上部開口部１１８を定める。一部の実施形態では、主本体１０２の後面部分１１４は、着用された時に足１０のかかと２２がそれを通って延びる後面開口部（図示せず）を定める。他の実施形態では及び図に示すように、主本体１０２の後面部分１１４は、開口部を欠く場合がある。
【００４０】
主本体１０２は、１又は２以上の層（図示せず）で形成することができ、その各々は、１又は２以上の材料で形成することができる。すなわち、一部の実施形態では、主本体１０２は単層で形成される。一部の実施形態では、主本体１０２は複数の層から形成される。一部の実施形態では、主本体１０２の複数の層は、縫合、接着剤、及びその組合せなどを通じて互いに結合することができる。一部の実施形態では、主本体１０２の１又は２以上の層は、弾力的であるが着用者の足１０を支持する弾性があり、かつ着用者が拘束なく移動することを可能にする１又は２以上の材料から形成される。一部の実施形態では、主本体１０２の１又は２以上の層は、織物、ポリマー、及びその複合材などで形成される。例えば、主本体１０２の１又は２以上の層は、ネオプレン、ナイロン、ポリエステル、ゴム、及びラテックスで形成することができる。
【００４１】
足首ブレース１００の主本体１０２は、第１の足首ステー１２０とも呼ばれる第１の足首支持体１２０と、第２の足首ステー１２２とも呼ばれる第２の足首支持体１２２とを担持する。足首ステー１２０、１２２は、着用者の足首１２の周りに部分的に延びるように構成される。一部の実施形態では、第１の足首ステー１２０は、主本体１０２の外面１０８に配置される（すなわち、第１の足首ステー１２０は、着用者の足１０の外側１４に配置されるように構成された外側足首ステーであると考えられる）。一部の実施形態では、第２の足首ステー１２２は、主本体１０２の内面１１０に配置される（すなわち、第２の足首ステー１２２は、着用者の足１０の内側１６に配置されるように構成された内側足首ステーであると考えられる）。一部の実施形態では、第１の足首ステー１２０及び第２の足首ステー１２２は、主本体１０２の層の間に配置され、かつ接着剤（図示せず）又は第１の足首ステー１２０及び第２の足首の周囲に隣接する縫合（図示せず）などを通じて主本体１０２の１又は２以上の層に結合される。
【００４２】
一般的に、第１の足首ステー１２０及び第２の足首ステー１２２は、足首反転、足首外転、及び足底屈に対して比較的高い抵抗を提供する。第１の足首ステー１２０及び第２の足首ステー１２２はまた、足背屈に対して比較的低い抵抗を提供する（図１Ｂを参照）。第１の足首ステー１２０及び第２の足首ステー１２２はまた、着用者の足１０の足底２４の下に部分的に配置されるように構成され、着用者の体重は、上述の足の運動に対して抵抗を提供するのに適する位置に第１の足首ステー１２０及び第２の足首ステー１２２を維持する。そのような特性を容易にする第１の足首ステー１２０及び第２の足首ステー１２２の形状及び／又は他の特徴を以下でより詳細に説明する。
【００４３】
図２Ａは、第１の足首ステー１２０及び／又は第２の足首ステー１２２である場合がある足首ステーを例示的な目的で平坦構成に示している（主本体１０２によって担持される時に、第１の足首ステー１２０はページの中に曲がり、第２の足首ステーはページから出るように曲がる）。図２Ｂ及び２Ｃは、着用者の足１０に対して位置決めされた第１の足首ステー１２０及び第２の足首ステー１２２を示し、足首ブレース１００の主本体１０２は、例示的な目的で隠されている。
【００４４】
足首ステー１２０、１２２は、モノリシック構成要素であるが、他の実施形態では、足首ステー１２０、１２２は、例えば接着剤又は超音波溶接などを通じて接合された別々のセクションとして形成することができる。足首ステー１２０、１２２は、実質的に均一な厚み（例えば、約１．５ｍｍ）及び幅を有するが、他の実施形態では、足首ステー１２０、１２２は、不均一な厚み及び／又は幅を有する場合がある。一部の実施形態では、足首ステー１２０、１２２は、ポリマー（例えば、ポリエチレン）及び複合材（例えば、金属補強ポリエチレン）などで形成される。
【００４５】
足首ステー１２０、１２２は、足首１２を二等分する垂直平面にわたって非対称である。足首ステー１２０、１２２は、足首ステー１２０、１２２に非対称形状を提供する異なる形状を有するいくつかの部分を含む。一般的に、足首ステー１２０、１２２は、着用者の足首１２に対して前方に配置されるように構成された前部分２０１と、着用者の足１０の足底２４に対して下方に配置されるように構成された下部分２０２と、着用者の足１０の足首１２に対して後方に配置されるように構成された後部分２０４とを含む。
【００４６】
前部分２０１は、着用者の足首１２に対して前方に配置されるように構成された上前セクション２０６を含む。上前セクション２０６は、前端２０８、前方向に面する第１の凸形縁部２１０、及び後方向に面する第１の凹形縁部２１２を含む。第１の凸形縁部２１０及び第１の凹形縁部２１２は、上前セクション２０６に約１２５度（すなわち、１２５度±５度）の角度を与える曲げ部を設ける。一部の実施形態では、上前セクション２０６は、足首ステー１２０、１２２に足首反転及び足首外転に対する比較的高い抵抗を与える。前端２０８の反対側では、上前セクション２０６は、中間前セクション２１４に結合する。
【００４７】
中間前セクション２１４は、着用者の足首１２に対して下方に配置されるように構成される。中間前セクション２１４は、後方向に面する第２の凸形縁部２１６と前方向に面する第２の凹形縁部２１８とを含む。第２の凸形縁部２１６及び第２の凹形縁部２１８は、中間前セクション２１４に約９５度（すなわち、９５度±５度）の角度を有する曲げ部を設ける。一部の実施形態では、中間前セクション２１４は、足首ステー１２０、１２２に足背屈に対する比較的低い抵抗を提供する。上前セクション２０６の反対側では、中間前セクション２１４は、下前セクション２２０に結合する。
【００４８】
下前セクション２２０は、着用者の足の側面にかつ着用者の足底２４に対して下方に配置されるように構成される（すなわちかつ図２Ｂ及び２Ｃに示すように、下前セクション２２０は、着用者の足１０の側面から着用者の足底２４の下まで湾曲する）。下前セクション２２０は、前方向に面する第３の凸形縁部２２２と後方向に面する第３の凹形縁部２２４とを含む。第３の凸形縁部２２２及び第３の凹形縁部２２４は、下前セクション２２０に約１４５度（すなわち、１４５度±５度）の角度を有する曲げ部を設ける。一部の実施形態では、下前セクション２２０は、足首ステー１２０、１２２に足首反転及び足首外転に対して比較的高い抵抗を提供し、及び／又は上述のように足首ステー１２０、１２２を適切な位置に維持するために着用者の体重によって負荷が掛けられる。中間前セクション２１４の反対側では、下前セクション２２０が下部分２０２に結合する。
【００４９】
下部分２０２は、着用者の足底２４に対して下方に配置されるように構成される。下部分２０２は、足首ステー１２０、１２２の前部分２０１及び後部分２０４に対して外向きに面する第４の凸形縁部２２６を含む。下部分２０２は、足首ステー１２０、１２２の前部分２０１及び後部分２０４に対して内向きに面する第４の凹形縁部２２８を更に含む。第４の凸形縁部２２６及び第４の凹形縁部２２８は、下部分２０２にほぼＵ字形を設ける。一部の実施形態では、下部分２０２は、上述のように足首ステー１２０、１２２を適切な位置に維持するために着用者の体重によって負荷が掛けられる。下前セクション２２０の反対側では、下部分２０２が、後部分２０４の下後セクション２３０に結合する。
【００５０】
下後セクション２３０は、着用者の足の側面に足底２４に対して下方に配置されるように構成される（すなわちかつ図２Ｂ及び２Ｃに示すように、下前セクション２２０は、着用者の足１０の側面から着用者の足底２４の下まで湾曲する）。下後セクション２３０は、前方向に面する第５の凸形縁部２３２と後方向に面する第５の凹形縁部２３４とを含む。第５の凸形縁部２３２及び第５の凹形縁部２３４は、下後セクション２３０に約１５５度（すなわち、１５５度±５度）の角度を有する曲げ部を設ける。一部の実施形態では、下後セクション２３０は、足首ステー１２０、１２２に足首反転、足首外転、及び足底屈に対して比較的高い抵抗を提供し、及び／又は上述のように足首ステー１２０、１２２を適切な位置に維持するために着用者の体重によって負荷が掛けられる。下部分２０２の反対側では、下後セクション２３０が、上後セクション２３６に結合する。
【００５１】
上後セクション２３６は、着用者の足首１２に対して後方に配置されるように構成される。上後セクション２３６は、前方向に面する第６の凸形縁部２３８と後方向に面する第６の凹形縁部２４０とを含む。第６の凸形縁部２３８及び第６の凹形縁部２４０は、上後セクション２３６に約１４０度（すなわち、１４０度±５度）の角度を有する曲げ部を設ける。一部の実施形態では、上後セクション２３６は、足首ステー１２０、１２２に足首反転、足首外転、及び足底屈に対して比較的高い抵抗を提供する。下後セクション２３０の反対側では、上後セクション２３６は後端２４２まで延びる。後端２４２は、足首ステー１２０、１２２に開放上部２４４を設けるために前端２０８に対して後方に配置される。
【００５２】
本発明の開示の一部の実施形態による足首ブレースは、上述の足首ブレース１００よりも追加の又は異なる特徴、構成要素、形状、寸法、及び／又は特性を含むことができる。例えば、一部の実施形態では、足首ブレースの主本体は、異なる材料及び／又は特性を有する部分を含む。そのような足首ブレースの例示的実施形態を以下に説明する。
【００５３】
図３Ａ及び３Ｂは、着用者の足１０上に着用されている本発明の開示の実施形態による足首ブレース３００を示している。足首ブレース３００は、足首１２と本明細書に説明する足首ステーのいずれか（例えば、足首ステー１２０、１２２）とすることができる第１の足首ステー３０４及び第２の足首ステー３０６とを含む着用者の足１０を受け入れるように構成された主本体３０２を含む。主本体３０２は、一般的に、主本体３０２が異なる材料及び／又は特性を有する第１の部分３０８及び第２の部分３１０を含むことを除いて、足首ブレース１００の主本体１０２と同じ特徴、構成要素、形状、寸法、及び特性を含む。第１の部分３０８は第１の延伸性を有し、第２の部分３１０は、第１の延伸性よりも低い第２の部分延伸性を有する。例えば、第２の延伸性は、第１の延伸性よりも２５パーセント低く、第１の延伸性よりも５０パーセント低く、又は第１の延伸性よりも７５パーセント低い場合がある。第１の部分３０８は、ネオプレンのような比較的弾性の材料で形成することができる。第２の部分３１０は、織布のような比較的非弾性の材料で形成することができる。第２の部分３１０は、内側／外側及び垂直足首支持を促進するために、足首ステー３０４、３０６に隣接する第１の側面部分３０９及び第２の側面部分３１１及び足首ブレース３００の他の場所（主本体３０２の底面部分３１２のような）上に存在することができる。第２の部分３１０は欠如する場合があり、第１の部分３０８は、足１０に対して圧縮嵌めを提供するために足首ブレース３００の他の場所（底面部分３１２と上面部分３１４の間で足１０の背面の上を覆うような）に存在することができる。一部の実施形態では、第１の部分３０８及び第２の部分３１０は、例えば、足首ブレース３０４、３０６に隣接して部分的に重なり、足首ステー３０４、３０６が担持されるポケット（図示せず）を形成する。
【００５４】
追加の及び／又は異なる特徴を含む本発明の開示の実施形態による足首ブレースの別の例として、本発明の開示の一部の実施形態による足首ブレースの足首ステーは、異なる形状、寸法、及び／又は特性を有することができる。より具体的な例として、一部の実施形態では、足首ステーの一方又は両方の１又は２以上の部分の形状及び／又は寸法は、上述して図面に示したものとは異なる。別の例として、一部の実施形態では、足首ステーは、着用者の足首を二等分するコロナ平面にわたって対称とすることができるであろう。そのような足首ステーのいくつかの例示的実施形態を以下に説明する。
【００５５】
図４Ａ及び４Ｂは、着用者の足１０に着用されている本発明の開示の実施形態による足首ブレース４００を示している。足首ブレース４００は、足首１２を含む着用者の足１０を受け入れるように構成された主本体４０２を含む。主本体４０２は、例えば、本明細書に説明する主本体のいずれか（例えば、図示のような主本体１０２又は主本体３０２）とすることができる。主本体４０２は、足首ステーを担持する（第１の足首ステー４０４は図４Ａ及び図４Ｂに示されており、第２の足首ステーは隠されている）。図５Ａは、例示的な目的で平坦構成で足首ステー４０４を示している。図５Ｂは、着用者の足１０に対して位置決めされた足首ステー４０４を示し、足首ブレース４００の主本体４０２は、例示的な目的で隠されている。図５Ｃは、着用者の足１０に対して位置決めされた足首ステー４０４のうちの２つを示し、足首ブレース４００の主本体４０２は、例示的な目的で隠されている。足首ステー４０４は、一般的に、足首ステー１２０、１２２と比較して類似の構成要素及び特徴を含み、図面では、類似の構成要素及び特徴は、４００だけ増加した同じ参照番号によって表されている（すなわち、足首ステー４０４は、前部分５０１、下部分５０２、後部分５０４を含む等々である）。しかし、足首ステー１２０、１２２とは対照的に、下前セクション５２０、下部分５０２、及び下後セクション５３０は、着用者の足１０の側面に配置されるように構成される（すなわち、着用者の足底に対して下方ではない）。
【００５６】
図６は、本発明の開示の実施形態による足首ステー６００を示し、これは、上述のような足首ステーの代わりに足首ブレースの一部として含めることができる。足首ステー６００は、例示的な目的で平坦構成で示されている。足首ステー６００は、足首ステー１２０、１２２にほぼ類似であるが、足首ステー６００は、着用者の足首を二等分するコロナ平面にわたって対称である。すなわち、足首ステー６００は、一般的に、前部分６０１、下部分６０２、及び後部分６０４を含む。前部分６０１は、上前セクション６０６（着用者の足首に対して前方に配置されるように構成され、前端６０８、前方に面する第１の凸形縁部６１０、及び後方に面する第１の凹形縁部６１２を有する）と、中間前セクション６１４（着用者の足首に対して下方に配置されるように構成され、後方に面する第２の凸形縁部６１６及び前方に面する第２の凹形縁部６１８を有する）と、下前セクション６２０（着用者の側面に足底に対して下方に配置されるように構成され、前方に面する第３の凸形縁部６２２及び後方に面する第３の凹形縁部６２４を有する）とを含む。下部分６０２は、着用者の足底に対して下方に配置されるように構成され、外向きに面する第４の凸形縁部６２６及び内向きに面する第４の凹形縁部６２８を含む。後部分６０４は、下後セクション６３０（着用者の側面に足底に対して下方に配置されるように構成され、後方に面する第５の凸形縁部６３２及び前方に面する第５の凹形縁部６３４を有する）と、中間後セクション６３６（着用者の足首に対して下方に配置されるように構成され、前方に面する第６の凸形縁部６３８及び後方に面する第６の凹形縁部６４０を有する）と、上後セクション６４２（着用者の足首に対して後方に配置されるように構成され、後方に面する第７の凸形縁部６４４、前方に面する第７の凹形縁部６４６、及び足首ステー６００に開放上部６５０を設けるために前端６０８に対して後方に配置された後端６４８を有する）とを含む。
【００５７】
図７は、本発明の開示の実施形態による足首ステー７００を示し、これは、上述のような足首ステーの代わりに足首ブレースの一部として含めることができる。足首ステー７００は、例示的な目的で平坦構成で示されている。足首ステー７００は、一般的に、足首ステー４０４と比較して類似の構成要素及び特徴を含み、図面では、類似の構成要素及び特徴は、３００だけ増加した同じ参照番号によって表されている（すなわち、足首ステー７００は、前部分７０１、下部分７０２、後部分７０４を含む等々である）。しかし、足首ステー４０４とは対照的に、下前セクション７２０、下部分７０２、及び下後セクション７３０は、着用者の足の側面に配置されるように構成される（すなわち、着用者の足底に対して下方ではない）。
【００５８】
図１４Ａ及び図１４Ｂは、着用者の足１０に着用されている本発明の開示の実施形態による足首ブレース１４００を示している。足首ブレース１４００は、足首１２を含む着用者の足１０を受け入れるように構成された主本体１４０２を含む。主本体１４０２は、例えば、本明細書に説明する主本体のいずれか（例えば、図示のような主本体１０２又は主本体３０２）とすることができる。主本体１４０２は、足首ステー１４０４を担持する。図１５Ａは、例示的な目的で平坦構成で足首ステー１４０４を示している。図１５Ｂ及び１５Ｃは、着用者の足１０に対して位置決めされた足首ステー１４０４を示し、足首ブレース１４００の主本体１４０２は、例示的な目的で隠されている。足首ステー１４０４は、第１の又は外側の側面部分１５０６及び第２の又は内側の側面部分１５０８を含み、その両方は、例えば、上記の本明細書に説明する足首ステーのいずれか（例えばかつ図示のような足首ステー１２０、１２２）と同じか又は類似の構造を有することができる。足首ステー１４０４はまた、第１の側面部分１５０６の下部分１５１２を第２の側面部分１５０８の下部分１５１４に結合する接続部分１５１０を含む。接続部分１５１０は、着用者の足１０の下を覆うように構成される。一部の実施形態ではかつ図示のように、第１の側面部分１５０６、第２側面部分１５０８、及び接続部分１５１０は、モノリシックに形成されるが、他の実施形態では、第１の側面部分１５０６、第２側面部分１５０８、及び接続部分１５１０は、例えば接着剤又は超音波溶接などを通じて接合された別々のセクションとして形成することができる。
【００５９】
図１６は、本発明の開示の実施形態による足首ステー１６００を示し、これは、上述のような足首ステーの代わりに足首ブレースの一部として含めることができる。足首ステー１６００は、例示的な目的で平坦構成で示されている。足首ステー１６００は、足首ステー１４０４とほぼ類似であるが、足首ステー１６００は、着用者の足首を二等分するコロナ平面にわたって対称である。すなわち、足首ステー１６００は、第１の又は外側の側面部分１６０２及び第２の又は内側の側面部分１６０４を含み、その両方は、例えば、上記の本明細書に説明する対称足首ステーのいずれか（例えば及び図示のような足首ステー６００）と同じか又は類似の構造を有することができる。足首ステー１６００はまた、第１の側面部分１６０２の下部分１６０８を第２の側面部分１６０４の下部分１６１０に結合する接続部分１６０６を含む。接続部分１６０６は、着用者の足の下を覆うように構成される。一部の実施形態ではかつ図示のように、第１の側面部分１６０２、第２側面部分１６０４、及び接続部分１６０６は、モノリシックに形成されるが、他の実施形態では、第１の側面部分１６０２、第２の側面部分１６０４、及び接続部分１６０６は、例えば接着剤又は超音波溶接などを通じて接合された別々のセクションとして形成することができる。
【００６０】
追加の及び／又は異なる特徴を含む本発明の開示の実施形態による足首ブレースの別の例として、本発明の開示の実施形態による足首ブレースの主本体は、着用者の足の支持及び／又は着用者の足への固定を容易にする追加の構成要素及び／又は特徴を含むことができる。一部の実施形態では、例えば、足首ブレースの主本体は、着用者の足の支持及び／又は着用者の足への固定を容易にするストラップシステム（すなわち、１又は２以上のストラップ）を含む。そのような足首ブレースのいくつかの例示的実施形態を以下に説明する。
【００６１】
図８Ａ−８Ｂは、着用者の足１０に着用されている本発明の開示の実施形態による足首ブレース８００を示している。図８Ｃは、着用者の足１０に固定されている足首ブレース８００を示している。足首ブレース８００は、着用者の足１０を受け入れるように構成された主本体８０２を含む。主本体８０２は、例えば、本明細書に説明する主本体のいずれか（例えば、図示のような主本体１０２又は主本体３０２）とすることができる。主本体８０２は、第１の足首ステー８０４及び第２の足首ステー８０６を担持し、これは、例えば、本明細書に説明する足首ステーのいずれか（例えば、図示のような足首ステー１２０、１２２及び／又は足首ステー４０４、６００、７００）とすることができる。他の実施形態では、主本体８０２は、１つの足首ステーを担持し、これは、例えば、足首ステー１２０、１２２、４０４、６００、７００、１４０４、又は１６００とすることができる。主本体８０２は、ストラップアセンブリ８０８を担持し、これは、後面開口部８１４を選択的に閉鎖して着用者の足１０に足首ブレース８００を固定するための上側後面ストラップ８１０及び下側後面ストラップ８１２を含む。上側後面ストラップ８１０及び下側後面ストラップ８１２は、主本体８０２とモノリシックに形成することができる。一部の実施形態ではかつ図示のように、上側後面ストラップ８１０及び下側後面ストラップ８１２は、フック及びループファスナを通じて主本体８０２の別の部分に切り離し可能に結合する（例えば、上側後面ストラップ８１０及び下側後面ストラップ８１２は、複数のフック８１６を担持し（図８Ｃを参照）、主本体８０２は、複数のループ８１８を担持する）。他の実施形態では、上側後面ストラップ８１０及び下側後面ストラップ８１２は、クラスプ、バックル、レース、又はクランプなどを通じてのような他の方式で主本体８０２の他の部分に切り離し可能に結合する。
【００６２】
図９Ａ−９Ｂは、着用者の足１０に着用されている本発明の開示の実施形態による足首ブレース９００を示している。図９Ｃ−９Ｄは、着用者の足１０に固定されている足首ブレース９００を示している。足首ブレース９００は、着用者の足１０を受け入れるように構成された主本体９０２を含む。主本体９０２は、例えば、本明細書に説明する主本体のいずれか（例えば、図示のような主本体１０２又は主本体３０２）とすることができる。主本体９０２は、第１の足首ステー９０４及び第２の足首ステー９０６を担持し、これは、例えば、本明細書に説明する足首ステーのいずれか（例えば、図示のような足首ステー１２０、１２２及び／又は足首ステー４０４、６００、７００）とすることができる。他の実施形態では、主本体９０２は、１つの足首ステーを担持し、これは、例えば、足首ステー１２０、１２２、４０４、６００、７００、１４０４、又は１６００とすることができる。
【００６３】
主本体９０２はまた、ストラップアセンブリ９０８を担持する。ストラップアセンブリ９０８は、後面開口部９１４を選択的に閉鎖して着用者の足１０に足首ブレース９００を固定するための上側後面ストラップ９１０及び下側後面ストラップ９１２を含む。上側後面ストラップ９１０及び下側後面ストラップ９１２は、主本体９０２とモノリシックに形成することができる。一部の実施形態ではかつ図示のように、上側後面ストラップ９１０及び下側後面ストラップ９１２は、フック及びループファスナを通じて主本体９０２の別の部分に切り離し可能に結合する（例えば、上側後面ストラップ９１０及び下側後面ストラップ９１２は、複数のフック９１６を担持し（図９Ｃを参照）、主本体９０２は、複数のループ９１８を担持する）。他の実施形態では、上側後面ストラップ９１０及び下側後面ストラップ９１２は、クラスプ、バックル、レース、又はクランプなどを通じてのような他の方式で主本体９０２の他の部分に切り離し可能に結合する。ストラップアセンブリ９０８は、第１の側面あぶみストラップ９２０及び第２の側面あぶみストラップ９２２を更に含む。第１の側面あぶみストラップ９２０及び第２の側面あぶみストラップ９２２は、足底９２８から上向きにそれぞれ主本体９０２の第１の側面部分９２４及び第２の側面部分９２６に沿って延び、着用者の足１０を支持して足首ブレース９００を着用者の足１０に固定する。一部の実施形態では、第１の側面あぶみストラップ９２０及び第２の側面あぶみストラップ９２２は、互いにモノリシックに形成される。一部の実施形態では、第１の側面あぶみストラップ９２０及び第２の側面あぶみストラップ９２２は、縫合（図示せず）又は接着剤（図示せず）などを通じて主本体９０２の足底９２８に結合する。一部の実施形態ではかつ図示のように、第１の側面あぶみストラップ９２０及び第２の側面あぶみストラップ９２２は、フック及びループファスナを通じて主本体９０２の別の部分に切り離し可能に結合する（例えば、第１の側面あぶみストラップ９２０及び第２の側面あぶみストラップ９２２は、複数のループ９１８に切り離し可能に結合する複数のフック９３０を担持する（図９Ｄを参照））。他の実施形態では、第１の側面あぶみストラップ９２０及び第２の側面あぶみストラップ９２２は、クラスプ、バックル、レース、又はクランプなどを通じてのような他の方式で主本体９０２の他の部分に切り離し可能に結合する。
【００６４】
図１０Ａ−１０Ｂは、着用者の足１０上に着用されている本発明の開示の実施形態による足首ブレース１０００を示している。図１０Ｃ−１０Ｅは、着用者の足１０に固定されている足首ブレース１０００を示している。足首ブレース１０００は、着用者の足１０を受け入れるように構成された主本体１００２を含む。主本体１００２は、例えば、本明細書に説明する主本体のいずれか（例えば、図示のような主本体１０２又は主本体３０２）とすることができる。主本体１００２は、第１の足首ステー１００４及び第２の足首ステー１００６を担持し、これは、例えば、本明細書に説明する足首ステーのいずれか（例えば、図示のような足首ステー１２０、１２２及び／又は足首ステー４０４、６００、７００）とすることができる。他の実施形態では、主本体１００２は、１つの足首ステーを担持し、これは、例えば、足首ステー１２０、１２２、４０４、６００、７００、１４０４、又は１６００とすることができる。
【００６５】
主本体１００２はまた、ストラップアセンブリ１００８を担持する。ストラップアセンブリ１００８は、後面開口部１０１４を選択的に閉鎖して着用者の足１０に足首ブレース１０００を固定するための上側後面ストラップ１０１０及び下側後面ストラップ１０１２を含む。上側後面ストラップ１０１０及び下側後面ストラップ１０１２は、主本体１００２とモノリシックに形成することができる。一部の実施形態ではかつ図示のように、上側後面ストラップ１０１０及び下側後面ストラップ１０１２は、フック及びループファスナを通じて主本体１００２の別の部分に切り離し可能に結合する（例えば、上側後面ストラップ１０１０及び下側後面ストラップ１０１２は、複数のフック１０１６を担持し（図９Ｃを参照）、主本体１００２は、複数のループ１０１８を担持する）。他の実施形態では、上側後面ストラップ１０１０及び下側後面ストラップ１０１２は、クラスプ、バックル、レース、又はクランプなどを通じてのような他の方式で主本体１００２の他の部分に切り離し可能に結合する。ストラップアセンブリ１００８は、第１の側面あぶみストラップ１０２０及び第２の側面あぶみストラップ１０２２を更に含む。第１の側面あぶみストラップ１０２０及び第２の側面あぶみストラップ１０２２は、足底１０２８から上向きにそれぞれ主本体１００２の第１の側面部分１０２６及び第２の側面部分１０２８に沿って延び、着用者の足１０を支持して足首ブレース１０００を着用者の足１０に固定する。一部の実施形態では、第１の側面あぶみストラップ１０２０及び第２の側面あぶみストラップ１０２２は、互いにモノリシックに形成される。一部の実施形態では、第１の側面あぶみストラップ１０２０及び第２の側面あぶみストラップ１０２２は、縫合（図示せず）又は接着剤（図示せず）などを通じて主本体１００２の足底１０２４に結合する。一部の実施形態ではかつ図示のように、第１の側面あぶみストラップ１０２０及び第２の側面あぶみストラップ１０２２は、フック及びループファスナを通じて主本体１００２の別の部分に切り離し可能に結合する（例えば、第１の側面あぶみストラップ１０２０及び第２の側面あぶみストラップ１０２２は、複数のループ１０１８に切り離し可能に結合する複数のフック１０３０を担持する（図１０Ｄを参照））。他の実施形態では、第１の側面あぶみストラップ１０２０及び第２の側面あぶみストラップ１０２２は、クラスプ、バックル、レース、又はクランプなどを通じてのような他の方式で主本体１００２の他の部分に切り離し可能に結合する。ストラップアセンブリ１００８は、足首ブレース１０００を着用者の足１０に固定するために第１の上側巻き付けストラップ１０３２及び第２の上側巻き付けストラップ１０３４を更に含む。第１の上側巻き付けストラップ１０３２及び第２の上側巻き付けストラップ１０３４は、上側後面ストラップ１０１０から上部開口部１０３６に隣接する主本体１００２の周りに延び、第１の上側巻き付けストラップ１０３２は、第２の上側巻き付けストラップ１０３４の上を覆い、かつそれに切り離し可能に結合される。一部の実施形態では、第１の上側巻き付けストラップ１０３２及び第２の上側巻き付けストラップ１０３４は、互いにモノリシックに形成される。一部の実施形態では、第１の上側巻き付けストラップ１０３２及び第２の上側巻き付けストラップ１０３４は、縫合（図示せず）又は接着剤（図示せず）などを通じて上側後面ストラップ１０１０に結合する。一部の実施形態ではかつ図示のように、第１の上側巻き付けストラップ１０３２及び第２の上側巻き付けストラップ１０３４は、フック及びループファスナを通じて互いに切り離し可能に結合する（例えばかつ図１０Ｅに示すように、第１の上側巻き付けストラップ１０３２は、複数のフック１０３８を担持し、第２の上側巻き付けストラップ１０３４は、複数のループ１０４０を担持する）。他の実施形態では、第１の上側巻き付けストラップ１０３２及び第２の上側巻き付けストラップ１０３４は、クラスプ、バックル、レース、又はクランプなどを通じてのような他の方式で互いに切り離し可能に結合する。
【００６６】
図１１Ａ−１１Ｂは、着用者の足１０に着用されている本発明の開示の実施形態による足首ブレース１１００を示している。図１１Ｃ−１１Ｆは、着用者の足１０に固定されている足首ブレース１１００を示している。足首ブレース１１００は、着用者の足１０を受け入れるように構成された主本体１１０２を含む。主本体１１０２は、例えば、本明細書に説明する主本体のいずれか（例えば、図示のような主本体１０２又は主本体３０２）とすることができる。主本体１１０２は、第１の足首ステー１１０４及び第２の足首ステー１１０６を担持し、これは、例えば、本明細書に説明する足首ステーのいずれか（例えば、図示のような足首ステー１２０、１２２及び／又は足首ステー４０４、６００、７００）とすることができる。他の実施形態では、主本体１１０２は、１つの足首ステーを担持し、これは、例えば、足首ステー１２０、１２２、４０４、６００、７００、１４０４、又は１６００とすることができる。
【００６７】
主本体１１０２はまた、ストラップアセンブリ１１０８を担持する。ストラップアセンブリ１１０８は、後面開口部１１１４を選択的に閉鎖して足首ブレース１１００を着用者の足１０に固定するための上側後面ストラップ１１１０及び下側後面ストラップ１１１２を含む。上側後面ストラップ１１１０及び下側後面ストラップ１１１２は、主本体１１０２とモノリシックであるとすることができる。一部の実施形態ではかつ図示のように、上側後面ストラップ１１１０及び下側後面ストラップ１１１２は、フック及びループファスナを通じて主本体１１０２の別の部分に切り離し可能に結合する（例えば、上側後面ストラップ１１１０及び下側後面ストラップ１１１２は、複数のフック１１１６を担持し（図１１Ｃを参照）、主本体１１０２は、複数のループ１１１８を担持する）。他の実施形態では、上側後面ストラップ１１１０及び下側後面ストラップ１１１２は、クラスプ、バックル、レース、又はクランプなどを通じてのような他の方式で主本体１１０２の他の部分に切り離し可能に結合する。ストラップアセンブリ１１０８は、第１の側面あぶみストラップ１１２０及び第２の側面あぶみストラップ１１２２を更に含む。第１の側面あぶみストラップ１１２０及び第２の側面あぶみストラップ１１２２は、足底１１２４から上向きにそれぞれ主本体１１０２の第１の側面部分１１２６及び第２の側面部分１１２８に沿って延び、着用者の足１０を支持して足首ブレース１１００を着用者の足１０に固定する。一部の実施形態では、第１の側面あぶみストラップ１１２０及び第２の側面あぶみストラップ１１２２は、互いにモノリシックに形成される。一部の実施形態では、第１の側面あぶみストラップ１１２０及び第２の側面あぶみストラップ１１２２は、縫合（図示せず）又は接着剤（図示せず）などを通じて主本体１１０２の足底１１２４に結合する。一部の実施形態ではかつ図示のように、第１の側面あぶみストラップ１１２０及び第２の側面あぶみストラップ１１２２は、フック及びループファスナを通じて主本体１１０２の別の部分に切り離し可能に結合する（例えば、第１の側面あぶみストラップ１１２０及び第２の側面あぶみストラップ１１２２は、複数のループ１１１８に切り離し可能に結合する複数のフック１１３０を担持する（図１０Ｄを参照））。他の実施形態では、第１の側面あぶみストラップ１１２０及び第２の側面あぶみストラップ１１２２は、クラスプ、バックル、レース、又はクランプなどを通じてのような他の方式で主本体１１０２の他の部分に切り離し可能に結合する。ストラップアセンブリ１１０８は、第１の交差ストラップ１１３２及び第２の交差ストラップ１１３４を更に含み、着用者の足１０を支持して足首ブレース１１００を着用者の足１０に固定する。第１の交差ストラップ１１３２及び第２の交差ストラップ１１３４は、足底１１２４から反対方向に延び、上方に延びて足１０の背面の上を覆う主本体１１０２の上面部分１１３５の部分で互いに交差し、後方に延びて主本体１１０２の後面部分１１３６で再度互いに交差し、かつ第２の交差ストラップ１１３４が次に第１の交差ストラップ１１３２の上を覆うように前方に延びる。一部の実施形態では、第１の交差ストラップ１１３２及び第２の交差ストラップ１１３４は、互いにモノリシックに形成される。一部の実施形態では、第１の交差ストラップ１１３２及び第２の交差ストラップ１１３４は、縫合（図示せず）又は接着剤（図示せず）などを通じて足底１１２４に結合する。一部の実施形態ではかつ図１１Ａ及び１１Ｂに示すように、第１の交差ストラップ１１３２及び第２の交差ストラップ１１３４は、足１０の両側で足首のすぐ上方で終端するほど十分な長さを有する。より具体的には、第１の交差ストラップ１１３２は、足１０の内側及び外側のうちの一方の足首のすぐ上方で終端することができ、第２の交差ストラップ１１３４は、足１０の内側及び外側のうちの他方の足首のすぐ上方で終端することができる。一部の実施形態では、第１の交差ストラップ１１３２及び第２の交差ストラップ１１３４のうちの一方は、主本体１１０２に切り離し可能に結合し（例えば、フック及びループを通じて）、第１の交差ストラップ１１３２及び第２の交差ストラップ１１３４のうちの他方は、第１の交差ストラップ１１３２及び第２の交差ストラップ１１３４のうちの第１のものの上を部分的に覆い、かつそれに切り離し可能に結合する（例えば、フック及びループを通じて）。これらの実施形態では、第１の側面あぶみストラップ１１２０及び第２の側面あぶみストラップ１１２２は、第１の交差ストラップ１１３２又は第２の交差ストラップ１１３４が主本体１１０２に切り離し可能に結合することを可能にするように、例示したものよりも短くすることができる。一部の実施形態では、足首の上方で着用者の脚の周りに延びることにより、第１の交差ストラップ１１３２及び第２の交差ストラップ１１３４は、１又は２以上の上側巻き付けストラップ（例えば、第１の巻き付けストラップ１１３２及び第２の巻き付けストラップ１１３４、図１０Ａ−１０Ｅを参照）と同じタイプの支持を提供する。一部の実施形態ではかつ図１１Ｅに示すように、第１の交差ストラップ１１３２は、第２の側面あぶみストラップ１１２２に切り離し可能に結合する（例えばかつ図１１Ｅに示すように、第１の交差ストラップ１１３２は、複数のフック１１３８を担持し、第２の側面あぶみストラップ１１２２は、複数のループ１１４０を担持する）。一部の実施形態ではかつ図１１Ｆに示すように、第２の交差ストラップ１１３４は、第１の側面あぶみストラップ１１２０に切り離し可能に結合する（例えばかつ図１１Ｆに示すように、第２の交差ストラップ１１３４は、複数のフック１１４２を担持し、第１の側面あぶみストラップ１１２０は、複数のループ１１４４を担持する）。他の実施形態では、第１の交差ストラップ１１３２及び第２の交差ストラップ１１３４は、クラスプ、バックル、レース、又はクランプなどを通じてのような他の方式でそれぞれ第２の側面あぶみストラップ１１２２及び第１の側面あぶみストラップ１１２０に切り離し可能に結合する。他の実施形態では、第１の交差ストラップ１１３２及び第２の交差ストラップ１１３４のようなストラップのうちの１又は２以上は、例示したものとは異なる長さを有する。
【００６８】
図１２Ａ−１２Ｂは、着用者の足１０に着用されている本発明の開示の実施形態による足首ブレース１２００を示している。足首ブレース１２００は、着用者の足１０を受け入れるように構成された主本体１２０２を含む。主本体１２０２は、第１の足首ステー１２０４及び第２の足首ステー１２０６を担持し、これは、例えば、本明細書に説明する足首ステーのいずれか（例えば、図示のような足首ステー１２０、１２２及び／又は足首ステー４０４、６００、７００）とすることができる。他の実施形態では、主本体１２０２は、１つの足首ステーを担持し、これは、例えば、足首ステー１２０、１２２、４０４、６００、７００、１４０４、又は１６００とすることができる。主本体１２０２は、底面部分１２１２から上面部分１２１４まで延びる後面部分１２１０での後面開口部１２０８を定める。足１０のかかと２２は、足首ブレース１２００が着用された時に後面開口部１２０８を通って延びる。後面開口部１２０８はまた、上面部分１２１４に隣接するブリッジ１２１６によって張られる。ブリッジ１２１６は、ネオプレンのような比較的弾性の材料で形成することができるが、複数の材料をこれに加えて又はこれに代えて使用することができる。
【００６９】
主本体１２０２はまた、ストラップアセンブリ１２１８を担持する。ストラップアセンブリ１２１８は、足首ブレース１２００を着用者の足１０に固定するための第１の後面ストラップ１２２０及び第２の後面ストラップ１２２２を含む。一部の実施形態では、第１の後面ストラップ１２２０及び第２の後面ストラップ１２２２は、縫合（図示せず）又は接着剤（図示せず）などを通じて主本体１２０２に結合する。一部の実施形態では、第１の後面ストラップ１２２０及び第２の後面ストラップ１２２２は、フック及びループファスナを通じて互いに切り離し可能に結合する（図示せず、例えば、第１の後面ストラップ１２２０は複数のフックを担持し、第２の後面ストラップ１２２２は複数のループを担持する）。他の実施形態では、第１の後面ストラップ１２２０及び第２の後面ストラップ１２２２は、クラスプ、バックル、レース、又はクランプなどを通じてのような他の方式で互いに切り離し可能に結合する。ストラップアセンブリ１２１８は、第１の側面あぶみストラップ１２２４及び第２の側面あぶみストラップ１２２６を更に含む。第１の側面あぶみストラップ１２２４及び第２の側面あぶみストラップ１２２６は、足底１２２８から上向きにそれぞれ主本体１２０２の第１の側面部分１２３０及び第２の側面部分１２３２に沿って延び、着用者の足１０を支持して足首ブレース１２００を着用者の足１０に固定する。一部の実施形態では、第１の側面あぶみストラップ１２２４及び第２の側面あぶみストラップ１２２６は、互いにモノリシックに形成される。一部の実施形態では、第１の側面あぶみストラップ１２２４及び第２の側面あぶみストラップ１２２６は、縫合（図示せず）又は接着剤（図示せず）などを通じて主本体１２０２の足底１２２８に結合する。一部の実施形態ではかつ図示のように、第１の側面あぶみストラップ１２２４及び第２の側面あぶみストラップ１２２６は、フック及びループファスナを通じて主本体１２０２の別の部分に切り離し可能に結合する（例えば、第１の側面あぶみストラップ１２２４及び第２の側面あぶみストラップ１２２６は、主本体１２０２上に担持された複数のループ（図示せず）に切り離し可能に結合する複数のフック（図示せず）を担持する）。他の実施形態では、第１の側面あぶみストラップ１２２４及び第２の側面あぶみストラップ１２２６は、クラスプ、バックル、レース、又はクランプなどを通じてのような他の方式で主本体１２０２の他の部分に切り離し可能に結合する。ストラップアセンブリ１２１８は、足首ブレース１２００を着用者の足１０に固定するために上側巻き付けストラップ１２３４を更に含む。上側巻き付けストラップ１２３４は、上部開口部１２３６に隣接して主本体１２０２の周りに延び、かつそれ自体に切り離し可能に結合される。一部の実施形態では、上側巻き付けストラップ１２３４は、縫合（図示せず）又は接着剤（図示せず）などを通じて主本体１２０２に結合する。一部の実施形態ではかつ図示のように、上側巻き付けストラップ１２３４は、フック及びループファスナを通じてそれ自体に切り離し可能に結合する（例えば、上側巻き付けストラップ１２３４の第１の部分は、複数のフック（図示せず）を担持し、上側巻き付けストラップ１２３４の第２の部分は、複数のループ（図示せず）を担持する）。他の実施形態では、上側巻き付けストラップ１２３４は、クラスプ、バックル、レース、又はクランプなどを通じてのような他の方式でそれ自体に切り離し可能に結合する。一部の実施形態では、上側巻き付けストラップ１２３４は、２つの上側巻き付けストラップ（例えば、第１の上側巻き付けストラップ１０３２及び第２の上側巻き付けストラップ１０３４、図１０Ａ−１０Ｅを参照）で置換することができる。
【００７０】
図１３Ａ−１３Ｂは、着用者の足１０に着用されている本発明の開示の実施形態による足首ブレース１３００を示している。図１３Ｃ−１３Ｇは、着用者の足１０に固定されている足首ブレース１３００を示している。足首ブレース１３００は、着用者の足１０を受け入れるように構成された主本体１３０２を含む。主本体１３０２は、第１の足首ステー１３０４及び第２の足首ステー１３０６を担持し、これは、例えば、本明細書に説明する足首ステーのいずれか（例えば、図示のような足首ステー１３０、１３２及び／又は足首ステー４０４、６００、７００）とすることができる。他の実施形態では、主本体１３０２は、１つの足首ステーを担持し、これは、例えば、足首ステー１２０、１２２、４０４、６００、７００、１４０４、又は１６００とすることができる。主本体１３０２は、底面部分１３１２から上面部分１３１４まで延びる後面部分１３１０での後面開口部１３０８を定める。足１０のかかと２２は、足首ブレース１３００が着用された時に後面開口部１３０８を通って延びる。後面開口部１３０８はまた、上面部分１３１４に隣接するブリッジ１３１６によって張られる。ブリッジ１３１６は、ネオプレンのような比較的弾性の材料で形成することができるが、複数の材料をこれに加えて又はこれに代えて使用することができる。
【００７１】
主本体１３０２はまた、ストラップアセンブリ１３１８を担持する。ストラップアセンブリ１３１８は、足首ブレース１３００を着用者の足１０に固定するための第１の後面ストラップ１３２０及び第２の後面ストラップ１３２２を含む。一部の実施形態では、第１の後面ストラップ１３２０及び第２の後面ストラップ１３２２は、縫合（図示せず）又は接着剤（図示せず）などを通じて主本体１３０２に結合する。一部の実施形態では、第１の後面ストラップ１３２０及び第２の後面ストラップ１３２２は、フック及びループファスナを通じて互いに切り離し可能に結合する（例えば、第１の後面ストラップ１３２０は複数のフック１３２１を担持し（図１３Ｃ）、第２の後面ストラップ１３２２は複数のループ１３２３を担持する）。他の実施形態では、第１の後面ストラップ１３２０及び第２の後面ストラップ１３２２は、クラスプ、バックル、レース、又はクランプなどを通じてのような他の方式で互いに切り離し可能に結合する。ストラップアセンブリ１３１８は、第１の交差あぶみストラップ１３２４及び第２の交差あぶみストラップ１３２６を更に含む。第１の交差あぶみストラップ１３２４及び第２の交差あぶみストラップ１３２６は、主本体１３０２の前面部分１３２８から延びてその上で互いに交差し、それぞれ主本体１３０２の第２の側面部分１３３２及び第１の側面部分１３３０に沿って下方に延び、足底１３３４の下を延びて再度互いに交差し、かつ次にそれぞれ主本体１３０２の第１の側面部分１３３０及び第２の側面部分１３３２に沿って上方に延びて着用者の足１０を支持して足首ブレース１３００を着用者の足１０に固定する。一部の実施形態では、第１の交差あぶみストラップ１３２４及び第２の交差あぶみストラップ１３２６は、縫合（図示せず）又は接着剤（図示せず）などを通じて主本体１３０２の前面部分１３２８に結合する。一部の実施形態ではかつ図示のように、第１の交差あぶみストラップ１３２４及び第２の交差あぶみストラップ１３２６は、フック及びループファスナを通じて主本体１３０２の別の部分に切り離し可能に結合する（例えば、第１の交差あぶみストラップ１３２４及び第２の交差あぶみストラップ１３２６は、主本体１３０２上に担持された複数のループ１３３７に切り離し可能に結合する複数のフック１３３６（図１３Ｅ及び１３Ｆを参照）を担持する）。他の実施形態では、第１の交差あぶみストラップ１３２４及び第２の交差あぶみストラップ１３２６は、クラスプ、バックル、レース、又はクランプなどを通じてのような他の方式で主本体１３０２の他の部分に切り離し可能に結合する。一部の実施形態では、第１の交差あぶみストラップ１３２４及び第２の交差あぶみストラップ１３２６に十分な張力を印加することは、第１の足首ステー１３０４及び第２の足首ステー１３０６に着用者の足１０に下で互いに係合させ、これは、着用者の足１０に追加の支持を提供する。ストラップアセンブリ１３１８は、足首ブレース１３００を着用者の足１０に固定するために上側巻き付けストラップ１３３８を更に含む。上側巻き付けストラップ１３３８は、上部開口部１３４０に隣接して主本体１３０２の周りに延び、かつそれ自体に切り離し可能に結合される。一部の実施形態では、上側巻き付けストラップ１３３８は、縫合（図示せず）又は接着剤（図示せず）などを通じて主本体１３０２に結合する。一部の実施形態ではかつ図示のように、上側巻き付けストラップ１３３８は、フック及びループファスナを通じてそれ自体に切り離し可能に結合する（例えば、上側巻き付けストラップ１３３８の第１の部分は、複数のフック１３４２を担持し（図１３Ｇを参照）、上側巻き付けストラップ１３３８の第２の部分は、複数のループ１３４４を担持する）。他の実施形態では、上側巻き付けストラップ１３３８は、クラスプ、バックル、レース、又はクランプなどを通じてのような他の方式でそれ自体に切り離し可能に結合する。一部の実施形態では、上側巻き付けストラップ１３３８は、２つの上側巻き付けストラップ（例えば、第１の上側巻き付けストラップ１０３２及び第２の上側巻き付けストラップ１０３４、図１０Ａ−１０Ｅを参照）で置換することができる。
【００７２】
本発明の開示による足首ブレースの実施形態は、他の方式で上述して図面に示したものから変化する場合がある。例えば、本発明の開示による足首ブレースの実施形態は、本明細書に説明する特徴の様々な組合せを含む又は本明細書に説明する１又は２以上の特徴を欠く場合がある。具体的な例として、本発明の開示による足首ブレースの実施形態は、いずれの足首ステーも欠く場合がある。
【００７３】
議論した例示的実施形態に対して本発明の範囲から逸脱することなく様々な他の修正及び追加を行うことができる。例えば、上述の実施形態は特定の特徴を参照するが、本発明の範囲は、特徴の異なる組合せを有する実施形態及び上述の特徴の全てを含まない実施形態も含む。
【符号の説明】
【００７４】
１４  外側
１６  内側
１００  足首ブレース
１０２  主本体
１１６  前面開口部
１２０  第１の足首ステー
【図１Ａ】
2022502175.tif 000003
【図１Ｂ】
2022502175.tif 000004
【図２Ａ】
2022502175.tif 000005
【図２Ｂ】
2022502175.tif 000006
【図２Ｃ】
2022502175.tif 000007
【図３Ａ】
2022502175.tif 000008
【図３Ｂ】
2022502175.tif 000009
【図４Ａ】
2022502175.tif 000010
【図４Ｂ】
2022502175.tif 000011
【図５Ａ】
2022502175.tif 000012
【図５Ｂ】
2022502175.tif 000013
【図５Ｃ】
2022502175.tif 000014
【図６】
2022502175.tif 000015
【図７】
2022502175.tif 000016
【図８Ａ】
2022502175.tif 000017
【図８Ｂ】
2022502175.tif 000018
【図８Ｃ】
2022502175.tif 000019
【図９Ａ】
2022502175.tif 000020
【図９Ｂ】
2022502175.tif 000021
【図９Ｃ】
2022502175.tif 000022
【図９Ｄ】
2022502175.tif 000023
【図１０Ａ】
2022502175.tif 000024
【図１０Ｂ】
2022502175.tif 000025
【図１０Ｃ】
2022502175.tif 000026
【図１０Ｄ】
2022502175.tif 000027
【図１０Ｅ】
2022502175.tif 000028
【図１１Ａ】
2022502175.tif 000029
【図１１Ｂ】
2022502175.tif 000030
【図１１Ｃ】
2022502175.tif 000031
【図１１Ｄ】
2022502175.tif 000032
【図１１Ｅ】
2022502175.tif 000033
【図１１Ｆ】
2022502175.tif 000034
【図１２Ａ】
2022502175.tif 000035
【図１２Ｂ】
2022502175.tif 000036
【図１３Ａ】
2022502175.tif 000037
【図１３Ｂ】
2022502175.tif 000038
【図１３Ｃ】
2022502175.tif 000039
【図１３Ｄ】
2022502175.tif 000040
【図１３Ｅ】
2022502175.tif 000041
【図１３Ｆ】
2022502175.tif 000042
【図１３Ｇ】
2022502175.tif 000043
【図１４Ａ】
2022502175.tif 000044
【図１４Ｂ】
2022502175.tif 000045
【図１５Ａ】
2022502175.tif 000046
【図１５Ｂ】
2022502175.tif 000047
【図１５Ｃ】
2022502175.tif 000048
【図１６】
2022502175.tif 000049
【国際調査報告】
2022502175.tif 000050
2022502175.tif 000051
2022502175.tif 000052
2022502175.tif 000053
2022502175.tif 000054